(57)【要約】      （修正有）【課題】垢すりやボディウォッシュが可能で耐久性があり、力の弱い人でも乾布摩擦が可能な手拭いを提供する。【解決手段】手拭い１は、長方形、角部を丸めた長方形、角部を切り落とした長方形、長円形、もしくは楕円形の布２と、布２と略同一サイズの結節網３と、を表裏一体に縫い合わせた。【選択図】図１
0003235009.tif 000002
【実用新案登録請求の範囲】
【請求項１】
長方形、角部を丸めた長方形、角部を切り落とした長方形、長円形、もしくは楕円形の布と、該布と略同一サイズの結節網と、を表裏一体に縫い合わせたことを特徴とする手拭い。
【請求項２】
前記布と前記結節網とを前記布の長手方向に一定の間隔で前記布の短辺と平行に直線状に前記短辺の長さで縫い合わせたことを特徴とする請求項１記載の手拭い。
【請求項３】
前記布の縁を前記結節網側に所定の長さで折り返して縫い合わせたことを特徴とする請求項１または２記載の手拭い。
【請求項４】
前記結節網は、網目の形状が菱形であり、一つの結節から隣接する結節に伸びる脚が前記布の長手方向に対して同一角度で広がるように前記布に縫い合わせたことを特徴とする請求項１から３の何れか一項記載の手拭い。
【請求項５】
前記結節網の結節のサイズが１．５ｍｍ〜２．５ｍｍであることを特徴とする請求項１から４の何れか一項記載の手拭い。
【考案の詳細な説明】
【技術分野】
【０００１】
本考案は、手拭いに関し、特に１枚で乾布摩擦、ボディウォッシュ、及び垢すりに使用できる手拭いに関する。
【背景技術】
【０００２】
１枚で乾布摩擦、ボディウォッシュ、及び垢すりに使用できる手拭いが開発されている（たとえば、特許文献１参照。）。
特許文献１に記載の考案は、二重タオルに関するものであり、具体的には、タオルや手拭いその他の布と垢を落とし易いような布又は、スポンジ等の素材を組み合わせ、１枚にする事により、使い勝手を増大させたものである。
【先行技術文献】
【特許文献】
【０００３】
【特許文献１】実開平６−８６６８６号公報
【考案の概要】
【考案が解決しようとする課題】
【０００４】
ところで、特許文献１には垢を落とし易いような布又は、スポンジ等の素材についての記載はされているものの、垢を落としやすいような布についての具体的な説明がないが、一般的な素材としてはナイロンタオルが考えられる。
しかしながら、ナイロンタオルで乾布摩擦を行うと、肌を傷めるおそれがあり、スポンジ等の素材では耐久性に欠ける。また、乾布摩擦にはある程度の力が必要であるが、力の弱い人には負担となる。
【０００５】
本考案は、上記課題に鑑みてなされたもので、垢すりやボディウォッシュが可能で耐久性があり、力の弱い人でも乾布摩擦が可能な手拭いの提供を目的とする。
【課題を解決するための手段】
【０００６】
かかる目的を達成するために、本考案に係る手拭いは、長方形、角部を丸めた長方形、角部を切り落とした長方形、長円形、もしくは楕円形の布と、該布と略同一サイズの結節
網と、を表裏一体に縫い合わせたことを特徴とする。
【０００７】
上記構成に加え、本考案に係る手拭いは、前記布と前記結節網とを前記布の長手方向に一定の間隔で前記布の短辺と平行に直線状に前記短辺の長さで縫い合わせたことを特徴とする。
【０００８】
上記構成に加え、本考案に係る手拭いは、前記布の縁を前記結節網側に所定の長さで折り返して縫い合わせたことを特徴とする。
【０００９】
上記構成に加え、本考案に係る手拭いは、前記結節網は、網目の形状が菱形であり、一つの結節から隣接する結節に伸びる脚が前記布の長手方向に対して同一角度で広がるように前記布に縫い合わせたことを特徴とする。
【００１０】
上記構成に加え、本考案に係る手拭いは、前記結節網の結節のサイズが１．５ｍｍ〜２．５ｍｍであることを特徴とする。
【考案の効果】
【００１１】
本考案によれば、垢すりやボディウォッシュが可能で耐久性があり、力の弱い人でも乾布摩擦が可能な手拭いの提供が可能となる。
【図面の簡単な説明】
【００１２】
【図１】（ａ）は、本考案の実施形態に係る手拭いの一方の主面を示す平面図であり、（ｂ）は、（ａ）の裏面図であり、（ｃ）は、（ａ）のＩｃ−Ｉｃ線断面図である。
【図２】図１（ａ）に示した手拭いの一方の主面における領域Ｌ１における拡大図である。
【図３】図１（ｂ）に示した手拭いの他方の主面における領域Ｌ２における拡大図である。
【図４】図３に示した手拭いの部分拡大図である。
【図５】（ａ）は、本考案の実施形態に係る手拭いで乾布摩擦もしくはボディウォッシュをしている状態を示す概念図であり、（ｂ）は、（ａ）の破線で示す円形領域Ｌ３の断面図である。
【図６】（ａ）は、本考案の実施形態に係る手拭いで乾布摩擦もしくは垢すりをしている状態を示す概念図であり、（ｂ）は、（ａ）の破線で示す円形領域Ｌ４の断面図である。
【考案を実施するための形態】
【００１３】
次に、本実施形態について、図面を参照して説明する。
＜構  成＞
図１（ａ）は、本考案に係る手拭いの一方の主面を示す平面図であり、図１（ｂ）は、図１（ａ）の裏面図であり、図１（ｃ）は、図１（ａ）のIｃ−Iｃ線断面図である。
本考案に係る手拭い１は、長方形の布２と、布２と略同一サイズの結節網３と、を表裏一体に縫い合わせたものである。縫い方については、図では直線縫いの場合が示されているが、本考案はこれに限定されるものではなく、ジグザグ縫い、クロスステッチ、バリオンステッチ、巻き縫い、たてまつり縫いのいずれであってもよい。
布２のサイズは、通常の手拭いのサイズが挙げられる（例えば、長さＬ約９０ｃｍ×幅Ｗ約３５ｃｍ）。
布２の材質は、例えば木綿が挙げられるが、本考案はこれに限定されるものではなく、タオル地、ナイロン、ポリエステル、カゼイン、不織布を用いても良い。
布２には水玉模様が染められているが、本考案はこれに限定されるものではなく、晒し（素地・白地）のものや、藍染め等を施しただけの無地や半染め、白地に柄を施しても良い。
結節網３は、木目網もしくは蛙又網のいずれを用いてもよいが、目のずれにくい蛙又網が好ましい。結節網３の糸の材質は、例えば、ナイロン・マルチ（撚り糸）、ナイロン・モノフィラメント（テグス）、テトロン、ポリ・エチレン、ポリ・プロピレンが挙げられる。結節網３の結節６のサイズは、例えば、１．５ｍｍ〜２．５ｍｍが挙げられる。
結節網３は、網目９の形状が菱形であり、一つの結節６から隣接する結節６に伸びる脚７、８が布２の長手方向に対して同一角度で広がるように布２に縫い合わせられている。
結節網３の脚７の手拭い１の長手方向に対する角度θ１と脚８の手拭い１の長手方向に対する角度θ２とは等しく、例えば２０°〜３０°が挙げられるが、本考案はこれに限定されない。
【００１４】
布２と結節網３とを布２の長手方向（長さ方向：図１では横方向）に一定の間隔（例えば、４ｃｍ〜６ｃｍであるが、本考案はこれに限定されない）で布２の短辺と平行に直線状に短辺の長さである幅Ｗで糸５を用いて縫い合わせられている。
【００１５】
布２の縁２ａ、２ｂは、結節網３側に所定の長さ（例えば、５ｍｍが挙げられるが限定されない。）で折り返して糸４ａ、４ｂで縫い合わせられているのが好ましい。この場合、布２のサイズは結節網３のサイズより折り返し分だけ大きい。
【００１６】
＜作用効果＞
乾布摩擦の一般的な効果は、以下の(1)〜(7)である。
（１）血行促進。
（２）新陳代謝向上。
（３）免疫力向上。
（４）自律神経安定。
（５）迷走神経刺激。→低血圧症の場合、正常値に近づけることが可能。
（６）毛穴を刺激することにより毛穴の中の老廃物を排出させることが可能。
（７）加齢臭、体臭を軽減することが可能。
これに加えて、本考案の手拭いによる格別な効果について以下に述べる。
【００１７】
図５（ａ）は、本考案の実施形態に係る手拭いで乾布摩擦もしくはボディウォッシュをしている状態を示す概念図であり、図５（ｂ）は、図５（ａ）の破線で示す円形領域Ｌ３の断面図である。
図５（ａ）に示すようにユーザ１０が手拭い１で乾布摩擦をしている場合、図５（ｂ）に示すようにユーザ１０の背中１１に布２が接触しているが、布２に張り合わされた結節網３が布２の上から押しつけることになるので、結節網３の結節６による凸部が形成され、その凸部がユーザ１０の体の一部である背中１１を押圧する。この状態でユーザ１０が手拭い１を矢印Ｐ１方向に往復させると、布２だけの場合と比べて摩擦力が増加するので、力の弱い人が使用しても布２だけの場合と比べて早く体が暖まり、効果的に血行促進が図れる。
また、手拭い１をボディウォッシュに用いる場合には結節網３を有するので、布２だけの場合と比べて泡立ちがよい。
【００１８】
図６（ａ）は、本考案の実施形態に係る手拭いで乾布摩擦もしくは垢すりをしている状態を示す概念図であり、図６（ｂ）は、図６（ａ）の破線で示す円形領域Ｌ４の断面図である。
図６（ａ）に示すようにユーザ１０が手拭い１で乾布摩擦をしている場合、図６（ｂ）に示すようにユーザ１０の背中１１に結節網３が接触すると共に、布２が結節網３を押圧するので、効果的に乾布摩擦をすることができるが、肌に自信のある人向けである。
また、本考案の手拭いは、乾布摩擦に限定されるものではなく、垢すりにも適用できる。
【００１９】
さらに、手拭い１は従来のようなスポンジを用いず、布２と結節網３とを有するので、スポンジを用いた場合に比べてその分だけ耐久性が得られる。
【００２０】
なお、上記実施形態は、本考案における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。従って、上記実施形態の記載をもって、実用新案登録請求の範囲に記載された考案の内容を限定するものではない。
例えば、上述した実施の形態では、手拭いの形状が長方形の場合で説明したが、本考案はこれに限定されるものではなく、長方形、角部を丸めた長方形、角部を切り落とした長方形、長円形、もしくは楕円形であってもよい。
【符号の説明】
【００２１】
１      手拭い
２      布
３      結節網
４ａ、４ｂ、５    糸
６      結節
７、８  脚
９      網目
１０    ユーザ
１１    背中
【図１】
0003235009.tif 000003
【図２】
0003235009.tif 000004
【図３】
0003235009.tif 000005
【図４】
0003235009.tif 000006
【図５】
0003235009.tif 000007
【図６】
0003235009.tif 000008